(57)【要約】【課題】収納ケースの外観、特に引き出し部を引き出したときの固定部やケース本体部の外観の美観性を向上して、見た目を良くした収納ケース付きベッドを提供する。【解決手段】ベッドフレームと、ベッドフレーム（サイドフレーム４２）に固定部（固定金具９１、固定ねじ９４）を介して取り付けられたケース本体部７１（取付部７１６）及びケース本体部７１に対して出し入れ可能な引き出し部を有する収納ケースと、を備えた収納ケース付きベッドであって、固定部（固定金具９１、固定ねじ９４）及びケース本体部７１（取付部７１６）の少なくとも一部を覆う被覆部材（駒部材８）をさらに備えた。【選択図】図１０
2014036782.tif 000002
【特許請求の範囲】
【請求項１】
ベッドフレームと、前記ベッドフレームに固定部を介して取り付けられたケース本体部及び前記ケース本体部に対して出し入れ可能な引き出し部を有する収納ケースと、を備えた収納ケース付きベッドであって、
前記固定部及び前記ケース本体部の少なくとも一部を覆う被覆部材をさらに備えた収納ケース付きベッド。
【請求項２】
前記固定部は、前記ベッドフレームに固設された固定部材と、前記固定部材及び前記ケース本体部及び前記被覆部材を共締めする締結部材とを含み、
前記被覆部材は、前記固定部材の一部を覆う請求項１に記載の収納ケース付きベッド。
【請求項３】
前記被覆部材は、前記固定部材の表面のうちで前記ケース本体部から前記引き出し部を引き出したときに外部から見える範囲を覆う請求項２に記載の収納ケース付きベッド。
【請求項４】
前記被覆部材の外観は、前記引き出し部の前板の外観または前記ケース本体部の前面の外観と同じである請求項１〜３のいずれか一項に記載の収納ケース付きベッド。
【請求項５】
前記被覆部材の前面は、前記ケース本体部の前面に連なっている請求項１〜４のいずれか一項に記載の収納ケース付きベッド。
【請求項６】
前記被覆部材は、前記ベッドフレームに載置されるボトムボードの裏面に形成された簀子を係止する請求項１〜５のいずれか一項に記載の収納ケース付きベッド。
【発明の詳細な説明】
【技術分野】
【０００１】
本発明は収納ケース付きベッドに関し、より詳細には、収納ケースの外観に関する。
【背景技術】
【０００２】
ベッドフレームに収納ケースを設けた収納ケース付きベッドが普及している。例えば、特許文献１に開示されたベッド装置は、一側面に開口する箱状体の内部に仕切り体を設けて収納部としたベッド本体と、収納部に出し入れ可能で幅方向の寸法が異なる複数の引き出しとを備え、箱状体に複数の溝を等間隔で設けて、仕切り板の挿入位置を変更できるようにしている。これにより、幅寸法の異なる引き出しを任意の位置に変更できるようになっている。また、特許文献１の実施形態には、箱状体の幅方向の途中に仕切り板が挿入され、幅方向の両端に端板が配置された態様が開示されている。２つの端板の一方はヘッドボードに固定され、他方はフットボードに固定されている。
【先行技術文献】
【特許文献】
【０００３】
【特許文献１】特開２００４−１５９８２７号公報
【発明の概要】
【発明が解決しようとする課題】
【０００４】
ところで、特許文献１のベッド装置では、ヘッドボードやフットボードなどのベッドフレーム側の部材と、箱状体や端板などの収納ケース側の部材とで素材が異なっている。このため、外観上の美観が低下して見た目が悪くなっている。さらに、収納ケースをベッドフレームに取り付けるために固定部を用いる構成では、固定部の外観が見た目に影響を及ぼすこともある。
【０００５】
本発明は上記背景技術の問題点に鑑みてなされたものであり、収納ケースの外観、特に引き出し部を引き出したときの固定部やケース本体部の外観の美観性を向上して、見た目を良くした収納ケース付きベッドを提供することを解決すべき課題とする。
【課題を解決するための手段】
【０００６】
本発明の収納ケース付きベッドは、ベッドフレームと、前記ベッドフレームに固定部を介して取り付けられたケース本体部及び前記ケース本体部に対して出し入れ可能な引き出し部を有する収納ケースと、を備えた収納ケース付きベッドであって、前記固定部及び前記ケース本体部の少なくとも一部を覆う被覆部材をさらに備えた。
【０００７】
さらに、前記固定部は、前記ベッドフレームに固設された固定部材と、前記固定部材及び前記ケース本体部及び前記被覆部材を共締めする締結部材とを含み、前記被覆部材は、前記固定部材の一部を覆うことが好ましい。
【０００８】
さらに、前記被覆部材は、前記固定部材の表面のうちで前記ケース本体部から前記引き出し部を引き出したときに外部から見える範囲を覆うことが好ましい。
【０００９】
さらに、前記被覆部材の外観は、前記引き出し部の前板の外観または前記ケース本体部の前面の外観と同じであることが好ましい。
【００１０】
また、前記被覆部材の前面は、前記ケース本体部の前面に連なっているようにしてもよい。
【００１１】
また、前記被覆部材は、前記ベッドフレームに載置されるボトムボードの裏面に形成された簀子を係止するようにしてもよい。
【発明の効果】
【００１２】
本発明の収納ケース付きベッドでは、収納ケースのケース本体部をベッドフレームに取り付ける固定部、及びケース本体部の少なくとも一方が被覆部材で覆われる。被覆部材には、美観性の高い部材、例えば化粧パネルや、化粧パネルを貼設した部材を用いることができるので、見た目を良くすることができる。
【００１３】
さらに、固定部が固定部材と締結部材とを含む態様では、固定部材、ケース本体部、及び被覆部材の三者が締結部材で共締めされる。ここで、固定部材とケース本体部との締め付けは元々必要な作業工程であるので、被覆部材を取り付ける独立した作業工程が不要となり、手間が軽減される。また、固定部材には一般的に固定金具などが用いられるので、あまり見た目が良くない。この固定部材の前側に被覆部材を共締めして固定部材の前面を覆うことにより、見た目を良くすることができる。
【００１４】
さらに、固定部材の表面のうち引き出し部を引き出したときに外部から見える範囲を被覆部材が覆う態様では、引き出し部を引き出したときの見た目を良くすることができる。
【００１５】
さらに、被覆部材の外観を引き出し部の前板の外観またはケース本体部の前面の外観と同じにした態様では、複数箇所の外観の統一性が保たれるので、見た目を良くすることができる。
【００１６】
また、被覆部材の前面がケース本体部の前面に連なる態様では、被覆部材とケース本体部の間に段差や隙間が生じないので、見た目を良くすることができる。加えて、収納ケースに入れる衣類などを誤って引っかけたりするおそれが生じない。
【００１７】
また、被覆部材がボトムボードの裏面に形成された簀子を係止する態様では、被覆部材を簀子の係止の用途に兼用して、簀子を係止する専用の部材を不要とし、ベッドの構成部材点数を削減できる。
【図面の簡単な説明】
【００１８】
【図１】本発明の実施形態の収納ケース付きベッドを説明する平面図である。
【図２】実施形態の収納ケース付きベッドの側面図である。
【図３】実施形態の収納ケース付きベッドをフット方向から見た図である。
【図４】ケース本体部の平面図である。
【図５】ケース本体部の正面図である。
【図６】引き出し部の平面図である。
【図７】引き出し部の正面図である。
【図８】ケース本体部をサイドフレームの他端に配置した状態を示す部分拡大平面図である。
【図９】ケース本体部をサイドフレームの他端に配置した状態を示すフット方向から見た部分拡大図である。
【図１０】ケース本体部をサイドフレームの他端に取り付けた状態を示す部分拡大平面図である。
【図１１】ケース本体部をサイドフレームの他端に取り付けた状態を示すフット方向から見た部分拡大図である。
【図１２】実施形態のベッドにおいて、引き出し部を引き出してフット方向から見た部分拡大図であり、一部断面が示されている。
【発明を実施するための形態】
【００１９】
本発明を実施するための実施形態を、図１〜図１２を参考にして説明する。図１は、本発明の実施形態の収納ケース付きベッド１を説明する平面図である。また、図２は実施形態の収納ケース付きベッド１の側面図、図３は実施形態の収納ケース付きベッド１をフット方向から見た図である。
【００２０】
ベッド１は、ヘッドフレーム２、２つのサイドフレーム４１、４２、２枚のボトムボード５１、５２、マットレス６、及び収納ケース７などで構成されている。ヘッドフレーム２は、直立した矩形板状の部材である。２つのサイドフレーム４１、４２は、それぞれ横長の矩形板状の部材であり、互いに平行配置とされている。２つのサイドフレーム４１、４２のそれぞれの一端４１１、４２１は、図略の締結部材を用いてヘッドフレーム２の一方の面に固定されている。２つのサイドフレーム４１、４２のそれぞれの他端４１２、４２２には、後述するように、収納ケース７のケース本体部７１が取り付けられている。
【００２１】
図３に示されるように、２つのサイドフレーム４１、４２の間隔Ｄは、ヘッドフレームの幅寸法Ｗよりも小とされている。したがって、ヘッドフレーム２の両端は、サイドフレーム４１、４２よりも側方に張り出している。２つのサイドフレーム４１、４２の高さ寸法Ｈに対して、ヘッドフレーム２は高く突出している。
【００２２】
ヘッドフレーム２及び２つのサイドフレーム４１、４２は木製とすることができ、他の材質を用いて形成してもよい。各フレーム２、４１、４２の外観は、美観性の高い共通フレームデザインで統一されており、見た目が良好になっている。共通フレームデザインには、例えば、特定色のモノトーンや木目調デザインを採用でき、これに限定されない。
【００２３】
ボトムボードは、正方形に近い矩形のヘッド側ボトムボード５１及びフット側ボトムボード５２に二分割されている。フット側ボトムボード５２は、図1に破線で示されるように、枠木５４、上板５５、４本の簀子木５６、及び縁部材５３などで構成されている。枠木５４は、正方形に近い矩形の枠を形成する部材である。上板５５は、枠木５４の枠形状に相当する正方形に近い薄板であり、枠木５４の上面に一体的に結合されている。４本の簀子木５６は、上板５５の下側の枠木５４の間に幅方向に配設されている。４本の簀子木５６は、互いに平行しており、かつ概ね等間隔に配置されている。４本の簀子木５６は、フット側ボトムボード５２の構造的な強度を確保する簀子を形成している。縁部材５３は、枠木５４の両側及びフット側の端部に付設されており、端面に向かうにつれて上面高さが漸減している。
【００２４】
ヘッド側ボトムボード５１は、詳細な構造が図１には省略されているが、フット側ボトムボード５２と同様に枠木、上板、簀子木、及び枠木の両側の端部に付設された縁部材５３などで構成されている。ヘッド側ボトムボード５１及びフット側ボトムボード５２は、２つのサイドフレーム４１、４２上に架け渡されるように載置されて使用される。
【００２５】
ヘッド側ボトムボード５１及びフット側ボトムボード５２は、縁部材５３を含む幅寸法Ｗがヘッドフレームの幅寸法Ｗに略一致しており、サイドフレーム４１、４２よりも側方に張り出している。また、ヘッド側ボトムボード５１とフット側ボトムボード５２とを足し合わせた長さは、サイドフレーム４１、４２の長さよりも大とされている。ヘッド側ボトムボード５１のヘッド側はヘッドフレーム２に付き当たっており、フット側ボトムボード５２のフット側はサイドフレーム４１、４２の他端４１２、４２２よりも張り出している。ヘッド側ボトムボード５１及びフット側ボトムボード５２の上面に、縁部材５３にかからない程度の大きさのマットレス６が載置されて使用される。
【００２６】
収納ケース７は、図１〜図３に示されるように、２つのサイドフレーム４１、４２の間のフット側ボトムボード５２の下方に配設されている。収納ケース７は、ケース本体部７１及び引き出し部７５で構成されている。引き出し部７５は、図１に矢印Ａで示されるように、フット方向に引き出されるようになっており、フット方向が収納ケース７の正面になる。図４は、ケース本体部７１の平面図であり、図５は、ケース本体部７１の正面図である。ケース本体部７１は、底板７１１、２枚の側板７１２、７１３、２枚の天板７１４、７１５、及び２つの取付部７１６、７１７で形成されている。
【００２７】
詳述すると、矩形の底板７１１の短辺上にそれぞれ矩形の側板７１２、７１３が立設されている。２つの側板７１２、７１３の上面の前側同士及び後側同士を橋絡するように、それぞれ細長い矩形の天板７１４、７１５が架け渡されている。底板７１１、２つの側板７１２、７１３、及び前側の天板７１４の前面には、化粧パネルが貼設されている。化粧パネルの外観には、美観性の高いケース共通デザインが採用されている。ケース共通デザインは、フレーム共通デザインと同じでもよいし、異なっていてもよい。上述した化粧パネルは、ケース本体部７１の少なくとも一部を覆う本発明の被覆部材に相当している。
【００２８】
前側の天板７１４の上面には、ベッド１の幅方向に係合溝７１９が刻設されている。係合溝７１９には、フット側ボトムボード５２の一番フット側の簀子木５６が係入する。また、２枚の側板７１２、７１３の前方寄りから側方外向きに突出するように、それぞれ取付部７１６、７１７が一体的に設けられている。各取付部７１６、７１７の上部寄り及び略中間高さにそれぞれ、共締孔７１８が穿設されている。共締孔７１８の内周には、雌ねじが刻設されている。
【００２９】
次に、図６は引き出し部７５の平面図であり、図７は引き出し部７５の正面図である。引き出し部７５は、５枚の矩形板すなわち底板７６１、２枚の側板７６２、７６３、前板７６４、及び後板７６５で形成されており、上方に開口する浅い箱形状になっている。前板７６４の幅方向寸法Ｄは、２つのサイドフレーム４１、４２の間隔Ｄに概ね一致しており、底板７６１の幅や２枚の側板７６２、７６３の間隔よりも大きい。したがって、前板７６４の両端は、底板７６１及び側板７６２、７６３よりも側方に張り出している。前板７６４の下部中央は、部分的に切り欠かれており、把手７６６が形成されている。また、前板７６４の前面には、ケース本体部７１の前面と同様に、ケース共通デザインの化粧パネルが貼設されている。
【００３０】
次に、２つのサイドフレーム４１、４２のそれぞれの他端４１２、４２２にケース本体部７１を取り付ける構造について説明する。ケース本体部７１の取付構造は両側で同じであるので、以下では一方のみ図示して説明する。図８は、ケース本体部７１をサイドフレーム４２の他端４２２に配置した状態を示す部分拡大平面図であり、図９は同じ状態をフット方向から見た部分拡大図である。また、図１０は、ケース本体部７１をサイドフレーム４２の他端４２２に取り付けた状態を示す部分拡大平面図であり、図１１は同じ状態をフット方向から見た部分拡大図である。
【００３１】
ケース本体部７１の取り付けには、本発明の固定部材に相当する固定金具９１、及び本発明の締結部材に相当する固定ねじ９４を用いる。固定金具９１は、断面が直角に屈曲したＬ字状で、幅がサイドフレーム４１、４２の高さＨよりも小さい金属性板状の部材である。図８及び図９に示されるように、固定金具９１の直交する２つの面９２、９３のうちの小さい側の面９２の上部寄りに取付孔９２１が穿設されている。また、小さい側の面９２の下方縁には、Ｕ字状に切り欠かれた取付溝９２２が形成されている。固定金具９１の大きい側の面９３は、予めサイドフレーム４２の他端４２２に固着されている。
【００３２】
図８及び図９に示されるように、固定金具９１の小さい側の面９２にケース本体部７１の取付部７１６を位置合わせして、取り付けの準備をする。このとき、固定金具９１の取付孔９２１及び取付溝９２２は、取付部７１６の２つの共締孔７１８にそれぞれ対向して取り付け可能な状態になる。次に、図１０及び図１１に示されるように、固定金具９１の前側に駒部材８を位置合わせする。
【００３３】
駒部材８は、固定部の少なくとも一部を覆う本発明の被覆部材に相当しており、矩形の板材で形成されている。駒部材８の高さ寸法Ｈ１は、サイドフレーム４２の高さＨよりもわずかに大とされている。駒部材８の幅寸法Ｗ１は、固定金具９１の小さい側の面９２の幅寸法にサイドフレーム４２の板厚を加算した寸法に略一致している。駒部材８の厚さ寸法Ｔ１は、サイドフレーム４２の他端４２２のフット側に配設されたときに、駒部材８の前面８１とケース本体部７１の前面とが揃うように設定されている。駒部材８の表面のうち、少なくとも外部から見える前面８１には、ケース本体部７１の前面と同様に、ケース共通デザインの化粧パネルが貼設されている。
【００３４】
また、駒部材８の２箇所には、取付部７１６の２つの共締孔７１８の位置に対応して、貫通孔８２が厚さ方向に穿設されている。さらに、駒部材８の前面８１には、貫通孔８２の周りを切欠いて下穴８３が形成されている。一方、固定ねじ９４は、外周面に雄ねじが刻設された軸部９５及び、軸部９５よりも大径の頭部９６で形成されている。貫通孔８２の内径は、固定ねじ９４の軸部９５の外径よりも大きく、頭部９６の外径よりも小さい。下穴８３の内径は、固定ねじ９４の頭部９６の外径よりも大きい。
【００３５】
固定ねじ９４を駒部材８の前側から下穴８３及び貫通孔８２に差し込むと、固定ねじ９４の頭部９６は下穴８３の底面で規制される。一方、軸部９５は、貫通孔８２を通り抜けて固定金具９１の取付孔９２１または取付溝９２２に係合し、さらに、取付部７１６の共締孔７１８に係入する。固定ねじ９４を回転駆動すると、軸部９５の雄ねじが共締孔７１８の雌ねじに対して螺進する。これにより、前側から順番に駒部材８、固定金具９１、及びケース本体部７１の三者が共締めされる。
【００３６】
両側各２本、合計で４本の固定ねじ９４により、ケース本体部７１がサイドフレーム４１、４２の他端４１２、４２２に取り付けられる。このとき、固定金具９１及び取付部７１６、７１７は、駒部材８に覆われて外部から見えなくなっている。また、ケース本体部７１の前面と駒部材８の前面８１とは、段差や隙間がなく連続している。ケース本体部７１に引き出し部７５を収納すると、引き出し部７５の前板７６４は、ケース本体部７１及び駒部材８を覆う。フット方向から見える引き出し部７５の前板７６４の前面、ケース本体部７１の前面、及び駒部材８の前面８１は、ケース共通デザインに統一されており、見た目が極めて良好になる。
【００３７】
この後、サイドフレーム４１、４２にフット側ボトムボード５２が載置されて図１２に示される状態となる。図１２は、実施形態のベッド１において、引き出し部７５を引き出してフット方向から見た部分拡大図であり、一部断面が示されている。図示されるように、フット側ボトムボード５２の一番フット側の簀子木５６は、駒部材８の上部によって係止されており、フット方向（図１２では紙面手前向き方向）の移動が規制されている。なお、簀子木５６は、ケース本体部７１の天板７１４の係合溝７１９に係入しているが、係合溝７１９の深さは必ずしも係止に十分でない。このため、簀子木５６は、駒部材８によって確実に係止される。
【００３８】
実施形態の収納ケース付きベッド１では、固定金具９１及びケース本体部７１の取付部７１６、７１７が駒部材８で覆われる。駒部材８の前面８１には、美観性の高いケース共通デザインの化粧パネルが貼設されている。さらに、駒部材８の前面８１、ケース本体部５１の前面、及び引き出し部７５の前板７６４の外観は、ケース共通デザインに統一されている。したがって、引き出し部７５を引き出した状態及び収納した状態に関わらず、外観の統一性が保たれて見た目を極めて良くすることができる。
【００３９】
さらに、固定金具９１、ケース本体部７１、及び駒部材８の三者が固定ねじで共締めされる。ここで、固定金具９１とケース本体部７１との締め付けは元々必要な作業工程であるので、駒部材８を取り付ける独立した作業工程が不要となり、手間が軽減される。
【００４０】
また、駒部材８がフット側ボトムボード５２の裏面に形成された簀子（簀子木５６）を係止するので、簀子を係止する専用の部材が不要になり、ベッド１の構成部材点数を削減できる。
【００４１】
なお、ケース本体部７１の取付部７１６、７１７、駒部材８、固定金具９１、及び固定ねじ９４などを組み合わせた取付構造は実施形態に限定されず、変形が可能である。本発明は、その他にも様々な応用や変形が可能である。
【符号の説明】
【００４２】
１：収納ケース付きベッド
２：ヘッドフレーム    ４１、４２：サイドフレーム
５１：ヘッド側ボトムボード    ５２：フット側ボトムボード
５６：簀子木（簀子）
６：マットレス
７：収納ケース    ７１：ケース本体部    ７１６、７１７取付部
７１８：共締孔
７５：引き出し部    ７６４：前板
８：駒部材（被覆部材）    ８１：前面    ８２：貫通孔    ８３：下穴
９１：固定金具（固定部材）    ９４：固定ねじ（締結部材）
【図１】
2014036782.tif 000003
【図２】
2014036782.tif 000004
【図３】
2014036782.tif 000005
【図４】
2014036782.tif 000006
【図５】
2014036782.tif 000007
【図６】
2014036782.tif 000008
【図７】
2014036782.tif 000009
【図８】
2014036782.tif 000010
【図９】
2014036782.tif 000011
【図１０】
2014036782.tif 000012
【図１１】
2014036782.tif 000013
【図１２】
2014036782.tif 000014